(57)【特許請求の範囲】
【請求項１】
電力ケーブルのケーブル遮へい層を接地するための接地用クランプであって、
前記ケーブル遮へい層に嵌着され、嵌着による変形に伴い生じる復元力によって前記電力ケーブルを把持する把持部と、
前記把持部に連設され、接地線が取り付けられる接地線取付部と、を備え、
前記把持部及び前記接地線取付部は、１本の丸線材を曲げ加工することにより形成されていることを特徴とする接地用クランプ。
【請求項２】
前記把持部は、前記ケーブル遮へい層の周方向に沿うＣ字形状の先端円弧部を有し、前記先端円弧部の両端に、前記電力ケーブルの長手方向に沿う直線部と前記ケーブル遮へい層の周方向に沿う分割円弧部が１箇所ずつ又は複数箇所交互に連設され、最後端の前記分割円弧部に前記接地線取付部が連設されることを特徴とする請求項１に記載の接地用クランプ。
【請求項３】
前記先端円弧部の開口角は、３０°〜１２０°であることを特徴とする請求項２に記載の接地用クランプ。
【請求項４】
前記丸線材の線径は、０．５〜２．０ｍｍであることを特徴とする請求項１から３のいずれか一項に記載の接地用クランプ。
【発明の詳細な説明】
【技術分野】
【０００１】
本発明は、電力ケーブルのケーブル遮へい層を接地する際に有用な接地用クランプに関する。
【背景技術】
【０００２】
一般に、ゴム又はプラスチックで絶縁された電力ケーブル（例えばＣＶケーブル）は、内側から順に、ケーブル導体、内部半導電層、ケーブル絶縁体、外部半導電層、ケーブル遮へい層、及びケーブルシース等を有する。電力ケーブルの終端接続部又は中間接続部においては、電力ケーブルの先端部から所定長で段剥ぎすることにより各層が露出され、ケーブル遮へい層は接地される。
【０００３】
螺旋状に巻回された銅テープによりケーブル遮へい層が形成されている場合、例えばケーブル遮へい層にははんだ付けにより接地線が接続される。しかし、はんだ付けによる接地方法は、専用工具が必要である上、作業時間も長くなる。特に、作業スペースの狭いところでは作業者の熟練度が要求される。
【０００４】
他の接地方法としては、板材をＣ字形に加工したＣ字形板状クランプを利用する方法がある（例えば特許文献１）。この接地方法では、予めＣ字形板状クランプに接地線が接続され、この接地線付きのＣ字形板状クランプがケーブル遮へい層に嵌着される。この方法によれば、施工現場におけるはんだ付け作業が不要となるので、ケーブル遮へい層に簡単に接地線を取り付けることができる。
【０００５】
従来のＣ字形板状クランプ５の具体例を図１に示す。図１Ａは長手方向から見た正面図、図１Ｂは側面図である。図１に示すように、Ｃ字形板状クランプは、割スリーブのように長手方向に開口部が形成された円筒形の板ばねである。Ｃ字形板状クランプは、電力ケーブルに嵌め込まれる開口の端部５１が、電力ケーブルを損傷させないように、外巻きカール状となっている（以下「カール部５１」と称する）。このカール部５１に接地線３が挿入され、はんだ付けされる。
【先行技術文献】
【特許文献】
【０００６】
【特許文献１】特開平９−１３５５２３号公報
【発明の概要】
【発明が解決しようとする課題】
【０００７】
しかしながら、Ｃ字形板状クランプを利用した接地方法では、クランプの周縁がエッジとなるため、チューブ状の端末本体（例えば差込式終端接続部）を挿入する際に、保護テープ等を巻いてエッジを緩和する必要がある。また、Ｃ字形板状クランプは、加工性の面から電力ケーブルの軸方向の長さを極端に短くすることができない（例えば１５ｍｍ以上となる）ため、ケーブル遮へい層に直接接地線をはんだ付けする場合に比較して、ケーブル遮へい層の段剥ぎ長さを長くする必要があり、終端接続部又は中間接続部の大型化を招く。さらには、図１に示すように、板材の長手方向端部をカールさせるため、加工コストが嵩む。
【０００８】
本発明の目的は、電力ケーブルの終端接続部又は中間接続部において、ケーブル遮へい層（銅テープ）に接地線を接続する際に有用な接地用クランプを提供することである。
【課題を解決するための手段】
【０００９】
本発明に係る接地用クランプは、電力ケーブルのケーブル遮へい層を接地するための接地用クランプであって、
前記ケーブル遮へい層に嵌着され、嵌着による変形に伴い生じる復元力によって前記電力ケーブルを把持する把持部と、
前記把持部に連設され、接地線が取り付けられる接地線取付部と、を備え、
前記把持部及び前記接地線取付部は、１本の丸線材を曲げ加工することにより形成されていることを特徴とする。
【発明の効果】
【００１０】
本発明によれば、施工現場においてケーブル遮へい層に直接接地線をはんだ付けする工程が不要となり、接地用クランプと接地線とをスリーブに圧着接続するだけでよい。したがって、作業者に高い熟練度が要求されることもなく、接地線を接続する際の作業性が格段に向上する。また、丸線材の曲げ加工により形成されるので、エッジがなく、終端接続部や中間接続部の構成部品を損傷させる虞がない。さらには、電力ケーブルの軸方向の長さを従来のＣ字形板状クランプを適用する場合に比べて短くすることができるので、終端接続部及び中間接続部の小型化を図ることができる。したがって、本発明に係る接地用クランプは、ケーブル遮へい層に接地線を接続する際に極めて有用である。
【図面の簡単な説明】
【００１１】
【図１】従来のＣ字形板状クランプを示す図である。
【図２】接地用クランプの使用形態を示す図である。
【図３】本発明の一実施の形態に係る接地用クランプを示す図である。
【図４】接地用クランプの正面図、側面図、及び平面図である。
【発明を実施するための形態】
【００１２】
以下、本発明の実施の形態を図面に基づいて詳細に説明する。
図２は、本発明の一実施の形態に係る接地用クランプ１の使用形態を示す図である。図３は、接地用クランプ１を示す図である。図４は、接地用クランプ１の正面図（図４Ａ）、側面図（図４Ｂ）、及び平面図（図４Ｃ）である。
【００１３】
図２に示すように、接地用クランプ１が取り付けられる電力ケーブル２は、ゴム又はプラスチックで絶縁された電力ケーブル（例えばＣＶケーブル）であり、内側から順に、ケーブル導体２１、内部半導電層（図示略）、ケーブル絶縁体２３、外部半導電層２４、ケーブル遮へい層２５、及びケーブルシース２６等を有する。ケーブル遮へい層２５は、例えば銅テープを螺旋状に巻回することにより形成される。終端接続部又は中間接続部においては、電力ケーブル２の先端部から所定長で段剥ぎすることにより各層が露出される。但し、内部半導電層は露出されない。接地用クランプ１は、電力ケーブル２のケーブル遮へい層２５に取り付けられる。
【００１４】
接地用クランプ１は、１本の丸線材を曲げ加工して形成される線細工ばねである。接地用クランプ１は、丸線材を加工して形成されているため、板材を加工してなる従来のＣ字形板状クランプに見られるようなエッジはない。また、丸線材は簡単に曲げ加工を施すことができるので、接地用クランプ１は、Ｃ字形板状クランプに比較して、安価に製造することができる。
【００１５】
接地用クランプ１は、短絡時の電流経路となるが、線材の線径が０．５ｍｍ未満であると、所定の電流容量を確保することができない。一方、線材の線形が２．０ｍｍを超えると、接地クランプ１を電力ケーブル２に取り付ける際に、接地用クランプ１（把持部１１）を変形させるのが困難となり、作業性が低下する。したがって、接地用クランプ１の製造に用いる線材の線径は、０．５〜２．０ｍｍであることが好ましい。
【００１６】
接地用クランプ１は、電気伝導性、耐食性、加工性、及びばね性（弾性）に優れる線材で形成される。例えば、接地用クランプ１用の線材としては、りん青銅線、黄銅線、洋白線、ベリリウム銅線、チタン銅合金線等の銅合金線が好適である。また、線材の表面には、すずめっき等の表面処理が施されていてもよい。
【００１７】
接地用クランプ１は、図２〜図４に示すように、電力ケーブル２に取り付けられる把持部１１と、接地線（図示略）が取り付けられる接地線取付部１２と、を備える。接地用クランプ１は、把持部１１の開放している側（図３では下側）を電力ケーブル２に向けて取り付けられる。接地線取付部１２は、例えば電力ケーブル２の長手方向に沿って延びる。以下において、接地線取付部１２の開放端側（図３では右側）を「後端側」、把持部１１との接続端側（図３では左側）を「先端側」と称する。
【００１８】
接地線取付部１２は、電力ケーブル２の長さ方向に沿う直線状の部分であり、線材の両端部に相当する。接地線取付部１２の一方又は両方の端部と接地線（図示略）とを例えばスリーブに圧着接続することで取り付けられる。接地線取付部１２の長さは特に制限されず、互い違いになっていてもよい。また、接地線を引き出しやすいように、把持部１１との連結角度を適宜調整してもよい。また、接地線を取り付けない側の接地線取付部１２は切断してもよい。
【００１９】
把持部１１は、ケーブル遮へい層２５の外周面に嵌着され、嵌着による変形に伴い生じる復元力（付勢力）によって電力ケーブル２を把持する。具体的には、把持部１１は、先端側に、電力ケーブル２の周方向に沿うＣ字形状の先端円弧部１１１を有する。先端円弧部１１１の両端には、電力ケーブル２の長手方向に沿う直線部１１２が連設される。さらに、直線部１１２には、電力ケーブル２の周方向に沿う分割円弧部１１３が連設される。分割円弧部１１３には、接地線取付部１２が連設される。
【００２０】
先端円弧部１１１及び分割円弧部１１３は、同じ直径の円の一部をなす。先端円弧部１１１及び分割円弧部１１３の直径Ｄ（以下「クランプ径Ｄ」と称する）は、取付け対象となる電力ケーブル２のケーブル遮へい層２５の外径よりも小さい。接地用クランプ１は、把持部１１が押し拡げられた状態で電力ケーブル２に取り付けられる。
【００２１】
接地用クランプ１のクランプ径Ｄは、ケーブル遮へい層２５の外径の７４〜８７％であることが好ましい。言い換えると、ケーブル遮へい層２５の外径がクランプ径Ｄの１１５〜１３５％である電力ケーブル２に対しては、同じ接地用クランプ１を適用することができる。例えば、クランプ径Ｄが１４ｍｍの接地用クランプ１は、ケーブル遮へい層２５の外径が１６〜１９ｍｍである電力ケーブル２のケーブル遮へい層２５を接地する際に適用することができる。
【００２２】
接地用クランプ１のクランプ径Ｄをケーブル遮へい層２５の外径の７４〜８７％とすることにより、電力ケーブル２に取り付けたときに、把持部１１とケーブル遮へい層２５とが良好に密着するとともに、把持部１１に適度な復元力が生じる。したがって、接地用クランプ１と電力ケーブル２とを強固に接続することができる。
【００２３】
先端円弧部１１１の開口角θ（以下「クランプ開口角θ」と称する）は、３０°〜１２０°であることが好ましい。これにより、接地用クランプ１をケーブル遮へい層２５に容易に嵌め込むことができ、また取り付け後の脱落を確実に防止することができる。クランプ開口角θが３０°未満の場合は、接地用クランプ１をケーブル遮へい層２５に取り付ける際に、変形させるのが困難となり、作業性が低下する。また、クランプ開口角θが１２０°より大きい場合は、接地用クランプ１をケーブル遮へい層２５に取り付け後、接地用クランプ１がケーブル遮へい層２５から脱落するおそれがあり、把持部１１をケーブル遮へい層２５に良好に密着させることができない。分割円弧部１１３におけるケーブル嵌着側（図３では下側）の開口部における開口角は、先端円弧部１１１におけるクランプ開口角θと同じ角度で形成される。
【００２４】
接地用クランプ１のクランプ長Ｌは、３ｍｍ以上であればよい。これにより、所定の保持力を確保することができる。また、従来のようにＣ字形板状クランプを用いる場合に比較して、ケーブル遮へい層２５の段剥ぎ長を短くすることができる。
【００２５】
このように、本実施の形態に係る接地用クランプ１は、ケーブル遮へい層２５の外周面に嵌着され、嵌着による変形に伴い生じる復元力によって電力ケーブル２を把持する把持部１１と、把持部１１に連設され、接地線が取り付けられる接地線取付部１２と、を備える。把持部１１及び接地線取付部１２は、１本の丸線材を曲げ加工することにより形成されている。
【００２６】
また、把持部１１は、ケーブル遮へい層２５の周方向に沿うＣ字形状の先端円弧部１１１を有し、先端円弧部１１１の両端に、電力ケーブル２の長手方向に沿う直線部１１２とケーブル遮へい層２５の周方向に沿う分割円弧部１１３が１箇所ずつ連設され、最後端の分割円弧部１１３に接地線取付部１２が連設されている。本実施の形態では、直線部１１２と分割円弧部１１３は、それぞれ接地用クランプ１の幅方向に対向するように１対形成されて長手方向に１箇所ずつに形成されるため、最先端の分割円弧部１１３が最後端の分割円弧部１１３と同一となるが、接地用クランプ１の把持部１１において、直線部１１２と分割円弧部１１３が複数箇所交互に連設して形成されていてもよい。
【００２７】
接地用クランプ１を用いることにより、施工現場においてケーブル遮へい層２５に直接接地線をはんだ付けする工程が不要となり、接地用クランプ１と接地線とをスリーブ（図示略）に圧着接続するだけでよい。したがって、作業者に高い熟練度が要求されることもなく、接地線を取り付ける際の作業性が格段に向上する。また、接地用クランプ１は、丸線材の曲げ加工により形成されるので、エッジがなく、終端接続部や中間接続部の構成部品を損傷させる虞がない。さらには、接地用クランプ１は、従来のＣ字形板状クランプに比較して、クランプ長Ｌを短くすることができるので、従来の図１のようなＣ字形板状クランプを適用する場合に比べて終端接続部及び中間接続部の小型化を図ることができる。したがって、接地用クランプ１は、ケーブル遮へい層２５に接地線を接続する際に極めて有用である。
【００２８】
以上、本発明者によってなされた発明を実施の形態に基づいて具体的に説明したが、本発明は上記実施の形態に限定されるものではなく、その要旨を逸脱しない範囲で変更可能である。
【００２９】
例えば、先端円弧部１１１及び分割円弧部１１３は、真円の一部をなす弧状でなくてもよく、例えば、楕円の一部をなす弧状であってもよい。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３１】
１  接地用クランプ
２  電力ケーブル
３  接地線
１１  把持部
１２  接地線取付部
２５  ケーブル遮へい層
１１１  先端円弧部
１１２  直線部
１１３  分割円弧部
【図１】
0006469494.tif 000002
【図２】
0006469494.tif 000003
【図３】
0006469494.tif 000004
【図４】
0006469494.tif 000005